(57)【要約】【課題】壁面に設けられた既設の広告用フレームを利用して多様かつ有効に情報発信することができる情報伝達冊子の陳列構造を提供する。【解決手段】複数種類の情報伝達冊子が陳列されてなる情報伝達冊子の陳列構造であって、地下鉄やビル等の建造物の壁面に設けられた既設の電飾看板から広告が印刷された樹脂板を取り外した凹部内に、情報伝達冊子が差し込まれるとともにそれぞれ差し込まれた情報伝達冊子の表紙の略全面が見えるポケットが複数設けられ、上記ポケットが壁面より前に突出していないことにより、従来の広告用フレームや電飾看板に比べ、各段に情報量が増加する。また、単に情報を掲示するに留まらず、それを見た人は、目にとまった情報伝達冊子の情報が自分にとって有益なものであれば、その冊子を手にとって見たり、持ち帰ったりすることができる。このように、わざわざメモをとる等の煩雑な作業が不用となる。【選択図】図１
2004167281.tif 000002
【特許請求の範囲】
【請求項１】
複数種類の情報伝達冊子が陳列されてなる情報伝達冊子の陳列構造であって、地下鉄やビル等の建造物の壁面に設けられた既設の電飾看板から広告が印刷された樹脂板を取り外した凹部内に、情報伝達冊子が差し込まれるポケットが複数設けられ、上記ポケットが壁面より前に突出していないことを特徴とする情報伝達冊子の陳列構造。
【発明の詳細な説明】
【技術分野】
【０００１】
本発明は、情報伝達冊子の陳列構造に関するものである。
【背景技術】
【０００２】
一般に、地下街や駅のコンコース等の壁面には、広告用フレームや電飾看板が備えられている。上記広告用フレームは、壁面に設けられたフレーム内に、ポスター等が嵌めこまれて用いられる。上記電飾看板は、壁面に形成された四角形の凹部内に蛍光灯等の光源が設けられ、ポスター等が印刷された半透明の樹脂板で蓋されることにより、樹脂板の後方から光りを照射してポスター等を光らせて人目を惹きつけるようになっている。
【特許文献１】特開平１０−３３３２９号
【特許文献２】実開平５−４９９６２号
【発明の開示】
【発明が解決しようとする課題】
【０００３】
しかしながら、上記広告用フレームや電飾看板では、せいぜい１枚か２枚のポスターしか掲示することができず。情報量が少ないという問題があった。また、単に情報を掲示するに留まり、その情報を入手して活用したい場合は、わざわざメモをとる等の煩雑な作業が必要となる。また、各方面から発信される情報量は増え続け、多くの人に有効に情報を伝達できる新しい情報伝達手段の開発が強く望まれている。
【０００４】
本発明は、このような事情に鑑みなされたもので、壁面に設けられた既設の広告用フレームを利用して多様かつ有効に情報発信することができる情報伝達冊子の陳列構造の提供をその目的とする。
【課題を解決するための手段】
【０００５】
上記の目的を達成するため、本発明の情報伝達冊子の陳列構造は、複数種類の情報伝達冊子が陳列されてなる情報伝達冊子の陳列構造であって、地下鉄やビル等の建造物の壁面に設けられた既設の電飾看板から広告が印刷された樹脂板を取り外した凹部内に、情報伝達冊子が差し込まれるとともにそれぞれ差し込まれた情報伝達冊子の表紙の略全面が見えるポケットが複数設けられ、上記ポケットが壁面より前に突出していないことを要旨とする。
【発明の効果】
【０００６】
すなわち、本発明の情報伝達冊子の陳列構造は、従来の広告用フレームや電飾看板に比べ、各段に情報量が増加する。また、単に情報を掲示するに留まらず、それを見た人は、目にとまった情報伝達冊子の情報が自分にとって有益なものであれば、その冊子を手にとって見たり、持ち帰ったりすることができる。このように、わざわざメモをとる等の煩雑な作業が不用となる。また、建造物の壁面に設けられた電飾看板用凹部にポケットが設けられているため、電飾看板用凹部を利用した情報伝達が可能となるうえ、凹部内にポケットが設けられるため、壁面からのポケットの出っ張りが少なくなり、通行の妨げになりにくい。しかも、ポケットが壁面より前に突出していないため、ポケットが凹部内に収容されてしまい、壁面からのポケットの出っ張りが少なくなり、通行の妨げになりにくい。さらに、情報伝達冊子の表紙の略全面が見えるため、見る人が情報を選択しやすくなり、有効な情報伝達効果を奏する。
【０００７】
本発明の情報伝達冊子の陳列構造において、異種類の情報伝達冊子のそれぞれ少なくとも表紙の一部が見えるように陳列されてなる場合には、各段に情報量が増加する。
【０００８】
本発明の情報伝達冊子の陳列構造において、上記ポケットは、差し込まれた情報伝達冊子の表紙の略全面が見えるポケットである場合には、情報伝達冊子の表紙の略全面が見え、見る人が情報を選択しやすくなり、有効な情報伝達効果を奏する。
【０００９】
本発明の情報伝達冊子の陳列構造において、壁面に設けられた電飾看板用凹部の奥面にポケットが設けられている場合には、電飾看板用凹部を利用した情報伝達が可能となるうえ、凹部内にポケットが設けられるため、壁面からのポケットの出っ張りが少なくなり、通行の妨げになりにくい。
【００１０】
本発明の情報伝達冊子の陳列構造において、ポケットが壁面より前に突出していない場合には、ポケットが凹部内に収容されてしまうため、壁面からのポケットの出っ張りが少なくなり、通行の妨げになりにくい。
【００１１】
本発明の情報伝達冊子の陳列構造において、ポケットが透明体からなる場合には、情報伝達冊子の表紙の略全面が見え、見る人が情報を選択しやすくなり、有効な情報伝達効果を奏する。
【００１２】
本発明の情報伝達冊子の陳列構造において、ポケットの前面に、カード類を差込みうる差込み部が設けられている場合には、例えば、上記差込み部に、そのポケットにおいてどのような情報が発信されているかを端的に表示すること等が可能となり、一層人目を惹きつけて有効な情報発信を行うことができる。
【００１３】
なお、本発明において、「情報伝達冊子」とは、とじ本状のものだけでなく、一枚ものの印刷物やとじていない冊子，タブロイド，一部を切り取ってはがきにできる印刷物等各種の印刷媒体を含み、これらに、ＣＤ−ＲＯＭやフロッピィディスク等の各種記録メディアを添付したもの等も含む趣旨である。
【発明を実施するための最良の形態】
【００１４】
つぎに、本発明の実施の形態を詳しく説明する。
【実施例１】
【００１５】
図１および図２は、本発明の情報伝達冊子の陳列構造の一実施の形態を示す。この構造は、例えば、地下道やビルのフロア，駅構内のコンコース等の壁面１に設けられた既設の電飾看板用凹部２を利用して構成されている。
【００１６】
より詳しく説明すると、上記凹部２は、正面視長方形で、その周縁部に、樹脂板製ポスター（図示せず）等を取り付けうるフレーム３が設けられている。また、上記凹部２の奥面には、上記樹脂板製ポスター等に裏面側から光りを照射する蛍光灯４が取り付けられている。
【００１７】
そして、上記電飾看板用凹部２には、正面に複数のポケット５（この例では３０個）が設けられたボード６が嵌入されている。上記ボード６の上部には、蛍光灯７が挿入されるライトボックス８が設けられ、このライトボックス８の前面には、半透明樹脂からなる表示板９が嵌めこまれている。これにより、上記表示板９が、ライトボックス８内の蛍光灯７で裏面側からライティングされ、表示板９が明るく光って通行する人々の目に止まりやすいようになっている。
【００１８】
そして、上記情報伝達冊子の陳列構造は、壁面１に備えつけられた既設の広告用フレーム３内に設けられたポケット５に、情報伝達冊子（図示せず）が差込まれ、異種類の情報伝達冊子のそれぞれ少なくとも表紙の一部が見えるように陳列しうるようになっている。
【００１９】
このように、上記情報伝達冊子の陳列構造では、壁面１に設けられた電飾看板用凹部２の奥面にポケット５が設けられ、上記ポケット５が壁面より前に突出しないようになっている。このようにすることにより、電飾看板用凹部２を利用した情報伝達が可能となるうえ、凹部２内にポケット５が収容されてしまうため、壁面１からのポケット５の出っ張りがなくなり、通行の妨げにならない。
【００２０】
上記ポケット５は、図３に示すように、樹脂製で、上記ボード６に貼着される背面板１０の前面に、上部に開口して情報伝達冊子（図示せず）を支受するホルダー部１１が設けられている。上記ホルダー部１１は、背面板１０の下側部約３分の２の高さの部分に取り付けられ、前面の開口部に半円状の切欠き１２が設けられている。これにより、ホルダー部１１に支受された情報伝達冊子の表紙の上側約半分が前面に露呈して通行人から見えるようになっている。
【００２１】
また、上記ホルダー部１１は、透明樹脂からなり、透明樹脂のホルダー部１１を透しても、内部の情報伝達冊子を目視できるようになっている。このように、情報伝達冊子の表紙の略全面が見え、見る人が情報を目に止めたり選択したりしやすくなり、有効な情報伝達効果を得ることができる。
【００２２】
さらに、上記ホルダー部１１前面の下側部分には、透明樹脂からなる差込み部１３が設けられている。この差込み部１３に、例えば、そのポケット５にどのような情報伝達冊子があるかを端的に表示するカードを差込んでおくことにより、有効な情報発信を行うことができる。
【００２３】
このように、上記情報伝達冊子の陳列構造では、従来の広告用フレームや電飾看板に比べ、各段に情報量が増加する。また、単に情報を掲示するに留まらず、それを見た人は、目にとまった情報伝達冊子の情報が自分にとって有益なものであれば、その冊子を手にとって見たり、持ち帰ったりすることができる。このように、わざわざメモをとる等の煩雑な作業が不用となる。
【００２４】
図４は、本発明の第２の実施の形態の情報伝達冊子の陳列構造を示す図である。この構造では、電飾看板用凹部２を利用するのではなく、壁面１に設けられた広告用フレーム３を利用するようになっている。すなわち、上記フレーム３に嵌めこまれるボード１４の前面に、複数のポケット５が取り付けられている。それ以外は、図１〜図３に示す構造と同様であり、同様の部分には、同じ符号を付している。この構造でも同様の作用効果を奏する。
【００２５】
以上のように、本発明の情報伝達冊子の陳列構造によれば、従来の広告用フレームや電飾看板に比べ、各段に情報量が増加する。また、単に情報を掲示するに留まらず、それを見た人は、目にとまった情報伝達冊子の情報が自分にとって有益なものであれば、その冊子を手にとって見たり、持ち帰ったりすることができる。このように、わざわざメモをとる等の煩雑な作業が不用となる。また、建造物の壁面に設けられた電飾看板用凹部にポケットが設けられているため、電飾看板用凹部を利用した情報伝達が可能となるうえ、凹部内にポケットが設けられるため、壁面からのポケットの出っ張りが少なくなり、通行の妨げになりにくい。しかも、ポケットが壁面より前に突出していないため、ポケットが凹部内に収容されてしまい、壁面からのポケットの出っ張りが少なくなり、通行の妨げになりにくい。さらに、情報伝達冊子の表紙の略全面が見えるため、見る人が情報を選択しやすくなり、有効な情報伝達効果を奏する。
【図面の簡単な説明】
【００２６】
【図１】本発明の一実施の形態の情報伝達冊子の陳列構造を示す正面図である。
【図２】上記情報伝達冊子の陳列構造の断面図である。
【図３】上記情報伝達冊子の陳列構造に用いるポケットを示す図であり、（ａ）は正面図、（ｂ）は断面図である。
【図４】本発明の第２の実施の形態の情報伝達冊子の陳列構造を示す断面図である。
【符号の説明】
【００２７】
１  壁面
３  フレーム
５  ポケット
【図１】
2004167281.tif 000003
【図２】
2004167281.tif 000004
【図３】
2004167281.tif 000005
【図４】
2004167281.tif 000006